(57)【要約】【課題】乾燥運転中の消費電力を低減する。【解決手段】ヒートポンプ装置１０と、回転ドラム２を回転駆動するドラム駆動モータ３と、ヒートポンプ装置１０により加熱された温風を回転ドラム２内に供給する送風手段６と、送風手段６により送風される乾燥用空気を吸熱器１４から放熱器１２へと流した後に回転ドラム２へと導く循環風路５と、ヒートポンプ装置１０の状態を検知する状態検知手段１６と、乾燥運転を制御する制御手段２０とを備え、制御手段２０は、回転ドラム２の駆動出力を低減する駆動出力低減手段２１を有し、状態検知手段１６の出力により圧縮機１１をＯＮ／ＯＦＦ制御するともに、圧縮機１１がＯＦＦ状態のときは、駆動出力低減手段２１により回転ドラム２の駆動出力を低減するようにしたものである。【選択図】図１
2014050500.tif 000002
【特許請求の範囲】
【請求項１】
誘導モータにより駆動する圧縮機と放熱器と絞り手段と吸熱器とを冷媒が循環するように管路で連結したヒートポンプ装置と、
衣類等を収容し乾燥させる回転ドラムと、
前記回転ドラムを回転駆動するドラム駆動モータと、
前記ヒートポンプ装置により加熱された温風を前記回転ドラム内に供給する送風手段と、前記送風手段により送風される乾燥用空気を前記吸熱器から前記放熱器へと流した後に前記回転ドラムへと導く循環風路と、
前記ヒートポンプ装置の状態を検知する状態検知手段と、
乾燥運転を制御する制御手段とを備え、
前記制御手段は、前記回転ドラムの駆動出力を低減する駆動出力低減手段を有し、
前記状態検知手段の出力により前記圧縮機をＯＮ／ＯＦＦ制御するともに、
前記圧縮機がＯＦＦ状態のときは、前記駆動出力低減手段により前記回転ドラムの駆動出力を低減するようにした
衣類乾燥機。
【請求項２】
駆動出力低減手段は、圧縮機がＯＦＦ状態のときは、回転ドラムの回転数を前記圧縮機がＯＮ状態のときより低くするようにした
請求項１記載の衣類乾燥機。
【請求項３】
駆動出力低減手段は、圧縮機がＯＦＦ状態のときは、回転ドラムの回転を停止するようにした
請求項１記載の衣類乾燥機。
【請求項４】
駆動出力低減手段は、圧縮機がＯＦＦ状態のときは、回転ドラムの単位時間当たり駆動時間を圧縮機がＯＮ状態のときより短くするようにした
請求項１記載の衣類乾燥機。
【請求項５】
制御手段は、圧縮機がＯＦＦ状態のときは、送風手段の回転数を圧縮機がＯＮ状態のときより高くするようにした
請求項１〜３のいずれか１項に記載の衣類乾燥機。
【発明の詳細な説明】
【技術分野】
【０００１】
本発明は、衣類等の乾燥を行う衣類乾燥機に関するものである。
【背景技術】
【０００２】
従来、この種の衣類乾燥機は、衣類等の乾燥にヒートポンプ装置が用いられている（例えば、特許文献１参照）。
【０００３】
図９は、特許文献１に記載された従来の衣類乾燥機を示すものである。図９に示すように、本体５１内に回転ドラム５２を回転自在に設け、モータ５３の動力をベルト５４を介して回転ドラム５２に伝達し回転駆動する。回転ドラム５２内に乾燥用空気を導入する風路５５を連通接続し、送風機５６により回転ドラム５２に乾燥用空気を送風する。
【０００４】
ヒートポンプ装置５７は、圧縮機５８と、放熱器５９と、絞り手段６０と、吸熱器６１を冷媒が循環するように管路６２で連結している。
【０００５】
圧縮機５８により高温高圧に圧縮されて気化したガス冷媒が放熱器５９に入り、風路５５を流れる乾燥用空気と熱交換し、空気は加熱され、冷媒は乾燥用空気により冷却されて液化する。液化した低温高圧の液冷媒は、絞り手段６０に入って減圧され、低温低圧の液冷媒となって吸熱器６１に入り、風路５５を流れる乾燥用空気と熱交換し、空気は冷却除湿され、冷媒は乾燥用空気により加熱されて気化し、ガス冷媒となって再び圧縮機５８に戻る。
【０００６】
一方、回転ドラム５２内の空気は、送風機５６により排気口６３から風路５５に流入して吸熱器６１に送風され、冷却除湿された後、放熱器５９で加熱されて送風口６４から回転ドラム５２内に流入する。送風機５６によって送風される乾燥用空気は、風路５５を通って回転ドラム５２とヒートポンプ装置５７を循環し、回転ドラム５２内の衣類を乾燥させる。
【０００７】
乾燥運転の初期では、吸熱器６１に流入する空気温度は低く、圧縮機５８の入力で徐々に加熱されていく。そして、乾燥運転の後期では空気温度は高くなり、冷媒の温度も高くなって圧縮機５８に過負荷がかかるようになる。そこで、循環空気の一部を排出し、温度の低い外気を導入して圧縮機５８の余分な入力分の熱を排出し、ヒートポンプ装置５７を安全な状態に安定させることが考えられている（例えば、特許文献２参照）。
【０００８】
これは、ヒートポンプ装置５７における冷媒の冷凍サイクルを考えると、放熱器５９から乾燥用空気へ奪われる熱量は、圧縮機５８の消費電力分だけ吸熱器６１にて乾燥用空気から奪う熱量より多くなるので、乾燥用空気をそのまま循環すると乾燥用空気全体の持つ熱量が増えるとともに、ヒートポンプ装置５７内の冷媒の持つ熱量が増え、その圧力が高くなり、やがて圧縮機５８のモータトルクを超えてしまい過電流が流れるのを防止するためである。また、温度の低い外気と循環空気とを入れ替えても不十分な場合は、圧縮機５８を停止するようにしている。
【先行技術文献】
【特許文献】
【０００９】
【特許文献１】特開平７−１７８２８９号公報
【特許文献２】特開２００４−２１５９４３号公報
【発明の概要】
【発明が解決しようとする課題】
【００１０】
しかしながら、前記従来の構成では、乾燥運転中に圧縮機がＯＦＦ状態のときでも回転ドラムを駆動するモータは、圧縮機がＯＮ状態のときと同様に駆動しており、圧縮機がＯＦＦ状態で乾燥の進行が一時的に進まない状況においても、不要な電力を消費しているという課題があった。
【００１１】
本発明は、前記従来の課題を解決するもので、乾燥運転中の消費電力を低減することができる衣類乾燥機を提供することを目的とする。
【課題を解決するための手段】
【００１２】
前記従来の課題を解決するために、本発明の衣類乾燥機は、ヒートポンプ装置と、衣類等を収容し乾燥させる回転ドラムと、前記回転ドラムを回転駆動するドラム駆動モータと、前記ヒートポンプ装置により加熱された温風を前記回転ドラム内に供給する送風手段と、前記送風手段により送風される乾燥用空気を前記吸熱器から前記放熱器へと流した後に前記回転ドラムへと導く循環風路と、前記ヒートポンプ装置の状態を検知する状態検知手段と、乾燥運転を制御する制御手段とを備え、前記制御手段は、前記回転ドラムの駆動出力を低減する駆動出力低減手段を有し、前記状態検知手段の出力により前記圧縮機をＯＮ／ＯＦＦ制御するともに、前記圧縮機がＯＦＦ状態のときは、前記駆動出力低減手段により前記回転ドラムの駆動出力を低減するようにしたものである。
【００１３】
これにより、乾燥運転中に圧縮機がＯＦＦ状態のときは、回転ドラムの駆動出力を低減し、ドラム駆動モータの消費電力を低減することができる。
【発明の効果】
【００１４】
本発明の衣類乾燥機は、乾燥運転中に圧縮機がＯＦＦ状態のときは、回転ドラムの駆動出力を低減し、乾燥運転中の消費電力を低減することができる。
【図面の簡単な説明】
【００１５】
【図１】本発明の実施の形態１における衣類乾燥機のシステム概念図
【図２】同衣類乾燥機の要部断面図
【図３】同衣類乾燥機の要部断面図
【図４】同衣類乾燥機のブロック構成図
【図５】（ａ）〜（ｃ）同衣類乾燥機の動作を示すタイムチャート
【図６】（ａ）〜（ｃ）本発明の実施の形態２における衣類乾燥機の動作を示すタイムチャート
【図７】（ａ）（ｂ）本発明の実施の形態３における衣類乾燥機の動作を示すタイムチャート
【図８】（ａ）〜（ｃ）本発明の実施の形態４における衣類乾燥機の動作を示すタイムチャート
【図９】従来の衣類乾燥機の要部断面図
【発明を実施するための形態】
【００１６】
第１の発明は、誘導モータにより駆動する圧縮機と放熱器と絞り手段と吸熱器とを冷媒が循環するように管路で連結したヒートポンプ装置と、衣類等を収容し乾燥させる回転ドラムと、前記回転ドラムを回転駆動するドラム駆動モータと、前記ヒートポンプ装置により加熱された温風を前記回転ドラム内に供給する送風手段と、前記送風手段により送風される乾燥用空気を前記吸熱器から前記放熱器へと流した後に前記回転ドラムへと導く循環風路と、前記ヒートポンプ装置の状態を検知する状態検知手段と、乾燥運転を制御する制御手段とを備え、前記制御手段は、前記回転ドラムの駆動出力を低減する駆動出力低減手
段を有し、前記状態検知手段の出力により前記圧縮機をＯＮ／ＯＦＦ制御するともに、前記圧縮機がＯＦＦ状態のときは、前記駆動出力低減手段により前記回転ドラムの駆動出力を低減するようにしたことにより、乾燥運転中に圧縮機がＯＦＦ状態のときは、回転ドラムの駆動出力を低減し、ドラム駆動モータの消費電力を低減することができる。
【００１７】
第２の発明は、特に、第１の発明の駆動出力低減手段は、圧縮機がＯＦＦ状態のときは、回転ドラムの回転数を前記圧縮機がＯＮ状態のときより低くするようにしたことにより、乾燥運転中に圧縮機がＯＦＦ状態のときは、回転ドラムの駆動出力を低減し、ドラム駆動モータの消費電力を低減することができる。
【００１８】
第３の発明は、特に、第１の発明の駆動出力低減手段は、圧縮機がＯＦＦ状態のときは、回転ドラムの回転を停止するようにしたことにより、乾燥運転中に圧縮機がＯＦＦ状態のときは、回転ドラムの駆動出力を低減し、ドラム駆動モータの消費電力を低減することができる。
【００１９】
第４の発明は、特に、第１の発明の駆動出力低減手段は、圧縮機がＯＦＦ状態のときは、回転ドラムの単位時間当たり駆動時間を圧縮機がＯＮ状態のときより短くするようにしたことにより、乾燥運転中に圧縮機がＯＦＦ状態のときは、回転ドラムの駆動出力を低減し、ドラム駆動モータの消費電力を低減することができる。
【００２０】
第５の発明は、特に、第１〜第３のいずれか１つの発明の制御手段は、圧縮機がＯＦＦ状態のときは、送風手段の回転数を圧縮機がＯＮ状態のときより高くするようにしたことにより、ヒートポンプ装置の冷媒の温度が早く下がり、圧縮機を早くＯＮ状態にできるので、乾燥時間が早くなり、消費電力を低減することができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における衣類乾燥機のヒートポンプ装置のシステム概念図で、ヒートポンプ装置の構成と乾燥用空気の流れを示している。図２および図３は、同衣類乾燥機の要部断面図、図４は、同衣類乾燥機のブロック構成図、図５は、同衣類乾燥機の動作を示すタイムチャートである。
【００２３】
図１〜図５において、本体１内に回転ドラム２を回転自在に設けている。本体１内の底部に設置したドラム駆動モータ３の動力をベルト４を介して回転ドラム２に伝達し、回転ドラム２を回転駆動する。回転ドラム２内に乾燥用空気を導入する循環風路５を設け、回転ドラム２の背面側に設けた送風機（送風手段）６により回転ドラム２内に乾燥用空気を送風する。ドラム駆動モータ３はブラシレス直流モータで構成され、インバータ制御によって回転速度が自在に変化させることができるようになっている。
【００２４】
回転ドラム２内の乾燥用空気は、回転ドラム２の背面側に設けた排気口７から循環風路５に流出し、回転ドラム２の前面側に設けた送風口８から回転ドラム２内に流入する。排気口７には、衣類イ等の乾燥対象から分離した糸屑等のリントを捕捉するフィルター９が脱着自在に設けられている。
【００２５】
ヒートポンプ装置１０は、圧縮機１１と、放熱器１２と、絞り手段１３と、吸熱器１４を冷媒が循環するように管路１５で連結している。放熱器１２および吸熱器１４は、フィンチューブ熱交換器で構成され、乾燥用空気が流れる循環風路５に配設されて乾燥風と熱交換する。
【００２６】
圧縮機１１により高温高圧に圧縮されて気化したガス冷媒が放熱器１２に入り、循環風路５を流れる乾燥風と熱交換し、空気は加熱され、冷媒は乾燥風により冷却されて液化する。液化した低温高圧の液冷媒は、絞り手段１３に入って減圧され、低温低圧の液冷媒となって吸熱器１４に入り、循環風路５を流れる乾燥風と熱交換し、乾燥風は冷却除湿され、冷媒は乾燥風により加熱されて気化し、ガス冷媒となって再び圧縮機１１に戻る。
【００２７】
一方、回転ドラム２内の空気は、送風機６により排気口７から循環風路５に流出して吸熱器１４に送風され、冷却除湿された後、放熱器１２で加熱されて送風口８から回転ドラム２内に流入する。送風機６によって送風される乾燥用空気は、循環風路５を通って回転ドラム２とヒートポンプ装置１０を循環し、衣類イを乾燥させる。矢印Ａは乾燥用空気の流れ方向を示し、矢印Ｂは冷媒の流れ方向を示している。
【００２８】
放熱器１２の管路１５にサーミスタで構成した冷媒温度検知手段（状態検知手段）１６を設けている。冷媒温度検知手段１６は、圧縮機１１から吐出された管路１５を流れる冷媒の温度を検知し、冷媒の温度からヒートポンプ装置１０の状態を検知する。
【００２９】
圧縮機１１は、誘導モータで構成した圧縮機モータ（図示せず）と、冷媒を圧縮する圧縮機構を有し、冷媒温度検知手段１６の出力により、冷媒が所定の温度範囲を維持するように圧縮機モータをＯＮ／ＯＦＦ動作し、ＯＮ時は一定速で駆動する。
【００３０】
回転ドラム２内に乾燥検知手段１７が設けられている。乾燥検知手段１７は、回転ドラム２内で撹拌される衣類イが接触することで、その抵抗値から乾燥度を検知するようにしている。回転ドラム２の前面側に衣類イ等を出し入れする投入口１８と、投入口１８を開閉する扉１９を設けている。
【００３１】
制御手段２０は、本体１内の下方前部に配設され、ドラム駆動モータ３、送風機６、圧縮機１１等を制御し、乾燥運転を制御する。制御手段２０は、回転ドラム２を回転駆動するドラム駆動モータ３の駆動出力を低減する駆動出力低減手段２１を有している。
【００３２】
以上のように構成された衣類乾燥機について、以下その動作、作用を説明する。図５において、（ａ）は放熱器１２を流れる冷媒の温度を検知する冷媒温度検知手段１６の出力、（ｂ）は圧縮機１１のＯＮ／ＯＦＦ状態、（ｃ）は回転ドラム２の回転数を示している。
【００３３】
図５に示すように、乾燥運転の初期では冷媒の温度は低く、圧縮機１１の入力で徐々に加熱されていく。そして、乾燥運転の進行にともなって冷媒の温度は高くなり、ヒートポンプ装置１０を安全な状態に安定させるため、例えば、温度の低い外気と循環空気とを入れ替えるなどして、圧縮機１１の余分な入力を排出している。この排出した状態においても、外気温度が高い場合や、フィルター９にリントが付着した状態で風量が低下している場合は、冷媒の温度は徐々に高くなっていく。
【００３４】
これは、ヒートポンプ装置１０における冷媒の冷凍サイクルを考えると、放熱器１２から乾燥用空気へ奪われる熱量は、圧縮機１１の消費電力分だけ吸熱器１４にて乾燥用空気から奪う熱量より多くなるので、乾燥用空気をそのまま循環すると乾燥用空気全体の持つ熱量が増えるとともに、ヒートポンプ装置１０内の冷媒の持つ熱量が増え、その温度が高くなるためである。
【００３５】
このまま温度が高くなると、やがて圧縮機１１内のモータのトルク限界を超えてしまい過電流が流れてしまうのを防ぐために、乾燥運転中に冷媒温度検知手段１６により冷媒の
温度を検知し、所定の温度を検知すると圧縮機１１をＯＦＦ状態にして冷媒の圧縮動作を停止し、冷媒が所定の温度に低下すると、再び圧縮機１１をＯＮ状態にして一定速で駆動し、冷媒が所定の温度を維持するように動作する。
【００３６】
このとき、図５（ｂ）、（ｃ）に示すように、圧縮機１１がＯＦＦ状態のときは、回転ドラム２の駆動出力を低減する駆動出力低減手段２１により、回転ドラム２の回転数を圧縮機１１がＯＮ状態のときのＲから、Ｒ１へと低くするようにしている。
【００３７】
このように、制御手段２０は、冷媒温度検知手段１６の出力により圧縮機１１をＯＮ／ＯＦＦ制御するとともに、圧縮機１１がＯＦＦ状態のときは、回転ドラム２の回転数を圧縮機１１がＯＮ状態のときより低くすることで、圧縮機１１がＯＦＦ状態のときの回転ドラム２を駆動するドラム駆動モータ３の消費電力を低減することができる。
【００３８】
以上のように、本実施の形態においては、誘導モータにより駆動する圧縮機１１と放熱器１２と絞り手段１３と吸熱器１４とを冷媒が循環するように管路１５で連結したヒートポンプ装置１０と、衣類等を収容し乾燥させる回転ドラム２と、回転ドラム２を回転駆動するドラム駆動モータ３と、ヒートポンプ装置１０により加熱された温風を回転ドラム２内に供給する送風手段６と、送風手段６により送風される乾燥用空気を吸熱器１４から放熱器１２へと流した後に回転ドラム２へと導く循環風路５と、ヒートポンプ装置１０の状態を検知する状態検知手段１６と、乾燥運転を制御する制御手段２０とを備え、制御手段２０は、回転ドラム２の駆動出力を低減する駆動出力低減手段２１を有し、状態検知手段１６の出力により圧縮機１１をＯＮ／ＯＦＦ制御するともに、圧縮機１１がＯＦＦ状態のときは、駆動出力低減手段２１により回転ドラム２の駆動出力を低減するようにしたものであり、乾燥運転中に圧縮機１１がＯＦＦ状態のときは、回転ドラム２の駆動出力を低減し、ドラム駆動モータ３の消費電力を低減することができる。
【００３９】
なお、状態検知手段１６は、圧縮機１１から吐出された管路１５を流れる冷媒の温度を検知するほか、循環風路５を流れる乾燥風の温度を検知するようにしてもよく、ヒートポンプ装置１０の状態を検知することができればよい。
【００４０】
（実施の形態２）
図６は、本発明の第２の実施の形態における衣類乾燥機の動作を示すタイムチャートである。本実施の形態の特徴は、圧縮機１１がＯＦＦ状態のときは、回転ドラム２の回転を停止するようにしたものである。他の構成は実施の形態１と同じであり、同一の構成に同一の符号を付して、詳細な説明は実施の形態１のものを援用する。
【００４１】
衣類の乾燥が進行するのにともなって、ヒートポンプ装置１０の冷媒の温度が高くなっていくため、制御手段２０は、冷媒温度検知手段１６の出力に基づいて圧縮機１１のＯＮ／ＯＦＦ制御を行う。
【００４２】
このとき、図６（ｂ）、（ｃ）に示すように、圧縮機１１がＯＦＦ状態のときは、駆動出力低減手段２１により回転ドラム２の駆動出力を低減し、回転ドラム２の回転を停止するようにしている。
【００４３】
このように、制御手段２０は、冷媒温度検知手段１６の出力により圧縮機１１をＯＮ／ＯＦＦ制御するとともに、圧縮機１１がＯＦＦ状態のときは、回転ドラム２の回転を停止することで、圧縮機１１がＯＦＦ状態のときの回転ドラム２を駆動するドラム駆動モータ３の消費電力を低減することができる。
【００４４】
（実施の形態３）
図７は、本発明の第３の実施の形態における衣類乾燥機の動作を示すタイムチャートである。本実施の形態の特徴は、圧縮機１１がＯＦＦ状態のときは、回転ドラム２の単位時間当たり駆動時間を圧縮機１１がＯＮ状態のときより短くするようにしたものである。他の構成は実施の形態１と同じであり、同一の構成に同一の符号を付して、詳細な説明は実施の形態１のものを援用する。
【００４５】
衣類の乾燥が進行するのにともなって、ヒートポンプ装置１０の冷媒の温度が高くなっていくため、制御手段２０は、冷媒温度検知手段１６の出力に基づいて圧縮機１１のＯＮ／ＯＦＦ制御を行う。
【００４６】
このとき、図７（ａ）、（ｂ）に示すように、圧縮機１１がＯＦＦ状態のときの回転ドラム２の駆動時間Ｄｓは、圧縮機１１がＯＮ状態のときの回転ドラム２の駆動時間Ｄｏより少なくなるようにしている。すなわち、
Ｄｏは、（Ｔ１＋Ｔ２＋Ｔ３）／Ｔｏであり、
Ｄｓは、（Ｔ４＋Ｔ５＋Ｔ６）／Ｔｏであり、
Ｄｏ＞Ｄｓである。
【００４７】
このように、制御手段２０は、冷媒温度検知手段１６の出力に基づいて圧縮機１１をＯＮ／ＯＦＦ制御するとともに、圧縮機１１がＯＦＦ状態のときの回転ドラム２の駆動時間Ｄｓは、圧縮機１１がＯＮ状態のときの回転ドラム２の駆動時間Ｄｏより少なくなるように制御することで、圧縮機１１がＯＦＦ状態のときの回転ドラム２を駆動するドラム駆動モータ３の消費電力を低減することができる。
【００４８】
（実施の形態４）
図８は、本発明の第４の実施の形態における衣類乾燥機の動作を示すタイムチャートである。本実施の形態の特徴は、圧縮機１１がＯＦＦ状態のときは、送風機６の回転数を圧縮機１１がＯＮ状態のときより高くするようにしたものである。他の構成は実施の形態１と同じであり、同一の構成に同一の符号を付して、詳細な説明は実施の形態１のものを援用する。
【００４９】
衣類の乾燥が進行するのにともなって、ヒートポンプ装置１０の冷媒の温度が高くなっていくため、制御手段２０は、冷媒温度検知手段１６の出力に基づいて圧縮機１１のＯＮ／ＯＦＦ制御を行う。
【００５０】
このとき、図８（ｂ）、（ｃ）に示すように、圧縮機１１がＯＦＦ状態のときは、送風手段６の回転数をｒからｒ１に上げて風量を増加している。これにより、空気と冷媒の熱交換量が増加するので、図８（ａ）に示すように、冷媒の温度をｔｈ１からｔｈ２へ早く下げることができる。冷媒の温度がｔｈ２へ低下すると、再び圧縮機１１を駆動させて衣類を乾燥していく。
【００５１】
このように、制御手段２０は、冷媒温度検知手段１６の出力に基づいて圧縮機１１をＯＮ／ＯＦＦ制御するとともに、圧縮機１１がＯＦＦ状態のときは、送風機６の回転数ｒを圧縮機１１がＯＮ状態のときより高い回転数ｒ１になるように制御することで、圧縮機１１のＯＦＦ状態の時間を短くすることができ、乾燥時間が短縮できて、消費電力を低減することができる。
【産業上の利用可能性】
【００５２】
以上のように、本発明にかかる衣類乾燥機は、乾燥運転中に圧縮機がＯＦＦ状態のときは、回転ドラムの駆動出力を低減し、乾燥運転中の消費電力を低減することができるので、衣類乾燥機として有用である。
【符号の説明】
【００５３】
２  回転ドラム
３  ドラム駆動モータ
５  循環風路
６  送風機（送風手段）
１０  ヒートポンプ装置
１１  圧縮機
１２  放熱器
１３  絞り手段
１４  吸熱器
１５  管路
１６  冷媒温度検知手段（状態検知手段）
２０  制御手段
２１  駆動出力低減手段
【図１】
2014050500.tif 000003
【図２】
2014050500.tif 000004
【図３】
2014050500.tif 000005
【図４】
2014050500.tif 000006
【図５】
2014050500.tif 000007
【図６】
2014050500.tif 000008
【図７】
2014050500.tif 000009
【図８】
2014050500.tif 000010
【図９】
2014050500.tif 000011